(57)【要約】【課題】  自動的に分岐装置の接続状況を精度良く解析する分岐装置接続状況解析システムを提供する。【解決手段】  分岐装置接続状況解析システムは、電力を分岐する複数の分岐口１３〜１６を備え、木状に接続された複数の電力分岐装置１０と、解析サーバ２０とを具備する。電力分岐装置１０は、電力センサ１２と電力情報送信装置１１を備える。電力センサ１２は、測定している電力に変化があると、電力の変化量を、装置固有の分岐装置ＩＤとともに電力情報送信装置１１に通知する。解析サーバ２０は、電力情報受信装置２１と分岐構造解析装置２２とからなる。電力情報受信装置２１は、電力情報送信装置１１から電力の変化量と、分岐装置ＩＤとを受信する。分岐構造解析装置２２は、電力情報受信装置２１から受けた電力の変化量および分岐装置ＩＤに基づき、電力分岐装置１０の接続関係を解析する。【選択図】    図１
2007043867.tif 000002
【特許請求の範囲】
【請求項１】
流れを分岐する複数の分岐口を備え、該分岐口を介して木状に接続された複数の分岐装置と、前記複数の分岐装置と無線通信回線を介して接続された解析サーバとを具備する分岐装置接続状況解析システムにおいて、
前記分岐装置は、
該分岐装置における流量を測定するセンサと、
前記センサの測定に基づく流量に関する情報と、装置固有の識別情報とを併せて、前記解析サーバへ無線送信する送信手段と
を備え、
前記解析サーバは、
前記送信手段から、前記流量に関する情報と前記識別情報とを受信する受信手段と、
前記受信手段から受けた前記流量に関する情報および前記識別情報に基づき、前記分岐装置の接続関係を解析する解析手段と
を備えること特徴とする分岐装置接続状況解析システム。
【請求項２】
前記分岐装置は、電力分岐装置であり、
前記分岐装置のセンサは、電力を測定すること
を特徴とする請求項１に記載の分岐装置接続状況解析システム
【請求項３】
前記解析サーバは、各々の前記分岐装置の備える分岐口数を記憶した記憶領域を備え、
前記解析サーバの解析手段は、前記分岐装置の接続関係を解析した結果より、各々の前記分岐装置について、使用されている分岐口数を解析し、該使用されている分岐口数と、前記記憶領域から取得した前記分岐装置の備える分岐口数との差をとることで、空いている分岐口数を算出すること
を特徴とする請求項１または請求項２に記載の分岐装置接続状況解析システム。
【請求項４】
流れを分岐する複数の分岐口を備え、該分岐口を介して木状に接続された複数の分岐装置と、前記分岐装置と無線通信回線を介して接続された解析サーバとを具備する分岐装置接続状況解析システムにおいて、
前記分岐装置が、該分岐装置における流量を測定する第１の過程と、
前記分岐装置が、第１の過程の測定結果に基づく流量に関する情報と、前記各分岐装置に固有の識別情報とを併せて、前記解析サーバへ無線送信する第２の過程と、
前記解析サーバが、前記分岐装置から前記流量に関する情報と、前記識別情報とを受信する第３の過程と、
前記解析サーバが、前記第３の過程で受信した前記流量に関する情報および前記識別情報に基づき、前記分岐装置の接続関係を解析する第４の過程と
を備えること特徴とする分岐装置接続状況解析方法。
【請求項５】
流れを分岐する複数の分岐口を備え、該分岐口を介して互いに木状に接続される分岐装置において、
流量を測定するセンサと、
前記センサの測定に基づく流量に関する情報と、装置固有の識別情報とを併せて、前記分岐装置間の接続関係を解析する解析サーバへ無線送信する送信手段と
を備えることを特徴とする分岐装置。
【発明の詳細な説明】
【技術分野】
【０００１】
本発明は、電力線などの木状に接続される分岐装置を対象とした分岐装置接続状況解析システムに関する。
【背景技術】
【０００２】
電力分岐装置などの木状に接続される分岐装置に、分岐線を増設する場合、何本の分岐線が既に分岐口に接続されているかを個々に把握する必要がある。分岐口が全て埋まっている分岐装置には、分岐線を追加することができないためである。
従来、このような場合、分岐装置を一つ一つ目視で確認し、空いている分岐口があれば、そこに新たな分岐線を差し込むが、空いていない場合は、他の分岐装置を探す・・・を繰り返していた。または、作業者が、図面などの記録を参照して、分岐装置の接続関係を解析し、分岐口数と接続されている分岐線数の差分から、空いている分岐口のある分岐装置を特定していた。
【発明の開示】
【発明が解決しようとする課題】
【０００３】
しかしながら、目視での確認では、手当り次第に分岐装置を確認する必要があり、ＯＡフロアなどの床下に設置されている場合には、そのたびに床やカーペットを剥がすため、空いている分岐口を探すのに手間がかかるという問題がある。また、図面などの記録を参照では、記録忘れ、記録ミスが多く、また、施工業者が記録を作成していても、入居者が自分で配線の追加・繋ぎ換えを行うことがあるため、記録の情報精度が低く、接続関係を正確に把握できないという問題がある。
【０００４】
本発明は、このような事情に鑑みてなされたもので、その目的は、一つ一つ目視するなどの手間をかけることなく、自動的に分岐装置の接続状況を精度良く解析し、さらに、分岐口の空きを算出する分岐装置接続状況解析システムを提供することにある。
【課題を解決するための手段】
【０００５】
この発明は上述した課題を解決するためになされたもので、請求項１に記載の発明は、流れを分岐する複数の分岐口を備え、該分岐口を介して木状に接続された複数の分岐装置と、前記複数の分岐装置と無線通信回線を介して接続された解析サーバとを具備する分岐装置接続状況解析システムにおいて、前記分岐装置は、該分岐装置における流量を測定するセンサと、前記センサの測定に基づく流量に関する情報と、装置固有の識別情報とを併せて、前記解析サーバへ無線送信する送信手段とを備え、前記解析サーバは、前記送信手段から、前記流量に関する情報と前記識別情報とを受信する受信手段と、前記受信手段から受けた前記流量に関する情報および前記識別情報に基づき、前記分岐装置の接続関係を解析する解析手段とを備えること特徴とする分岐装置接続状況解析システムである。
【０００６】
また、請求項２に記載の発明は、請求項１に記載の分岐装置接続状況解析システムであって、前記分岐装置は、電力分岐装置であり、前記分岐装置のセンサは、電力を測定することを特徴とする。
【０００７】
また、請求項３に記載の発明は、請求項１または請求項２に記載の分岐装置接続状況解析システムであって、前記解析サーバは、各々の前記分岐装置の備える分岐口数を記憶した記憶領域を備え、前記解析サーバの解析手段は、前記分岐装置の接続関係を解析した結果より、各々の前記分岐装置について、使用されている分岐口数を解析し、該使用されている分岐口数と、前記記憶領域から取得した前記分岐装置の備える分岐口数との差をとることで、空いている分岐口数を算出することを特徴とする。
【０００８】
また、請求項４に記載の発明は、流れを分岐する複数の分岐口を備え、該分岐口を介して木状に接続された複数の分岐装置と、前記分岐装置と無線通信回線を介して接続された解析サーバとを具備する分岐装置接続状況解析システムにおいて、前記分岐装置が、該分岐装置における流量を測定する第１の過程と、前記分岐装置が、第１の過程の測定結果に基づく流量に関する情報と、前記各分岐装置に固有の識別情報とを併せて、前記解析サーバへ無線送信する第２の過程と、前記解析サーバが、前記分岐装置から前記流量に関する情報と、前記識別情報とを受信する第３の過程と、前記解析サーバが、前記第３の過程で受信した前記流量に関する情報および前記識別情報に基づき、前記分岐装置の接続関係を解析する第４の過程とを備えること特徴とする分岐装置接続状況解析方法である。
【０００９】
また、請求項５に記載の発明は、流れを分岐する複数の分岐口を備え、該分岐口を介して互いに木状に接続される分岐装置において、流量を測定するセンサと、前記センサの測定に基づく流量に関する情報と、装置固有の識別情報とを併せて、前記分岐装置間の接続関係を解析する解析サーバへ無線送信する送信手段とを備えることを特徴とする分岐装置である。
【発明の効果】
【００１０】
この発明によれば、各分岐装置にセンサを備え、各分岐装置における流れの変化に基づき分岐装置間の接続関係を解析しているので、精度の良い接続状況を出力できる。ユーザは、出力された接続状況から得られる各分岐装置に接続された分岐線の数と、各分岐装置の分岐口数の差をとることで、各分岐装置における空きの分岐口を、精度良く算出することができる。
【００１１】
また、本発明によれば、解析手段が分岐装置の接続関係を解析して、各分岐装置の空きの分岐口数を精度良く算出することができる。
【発明を実施するための最良の形態】
【００１２】
以下、図面を参照して、本発明の実施の形態について説明する。図１は、この発明の一実施形態による電力分岐装置接続状況解析システムの構成を示す概略ブロック図である。１０は、図２のように親分岐装置から流れてくる電力を分岐して子分岐装置に供給し、木状に繋がるテーブルタップなどの電力分岐装置であり、電力情報送信装置１１、電力センサ１２および分岐口１３〜１６からなる。電力情報送信装置１１は、電力センサ１２から送られてきた電力情報と分岐装置ＩＤを解析サーバ２０へ無線送信する。電力センサ１２は、電力分岐装置１０に流れる電力を測定し、電力に変化があったときのみ、自装置固有の分岐装置ＩＤと電力の変化量を電力情報送信装置１１に出力する。分岐口１３〜１６は、電力分岐を行うための分岐線の差し込み口である。本実施形態では、分岐口の数を４つとしたが、いくつであってもよい。
【００１３】
解析サーバ２０は、電力分岐装置１０の接続状況を解析し、保持する装置であり、電力情報受信装置２１、分岐構造解析装置２２、分岐構造ＤＢ２３およびグループ分けＤＢ２４からなる。電力情報受信装置２１は、電力分岐装置１０の電力情報送信装置１１から無線送信されてきた電力の変化量および分岐装置ＩＤを受信する。分岐構造解析装置２２は、電力情報受信装置２１が受信した情報を元に、電力分岐装置１０の接続関係を解析する。分岐構造ＤＢ２３は、分岐構造解析装置２２が解析して得た分岐装置１０の接続関係を、図４のように親子関係が確定しているものを構造確定グループに、どちらが親か子かわからないが、繋がっていることがわかっているものを未確定グループに記録するデータベースである。分岐構造ＤＢ２３に図４のように記録されているときは、図５のように電力分岐装置１０Ａ、１０Ｂ、１０Ｅ、１０Ｆの繋がりは確定しており、電力分岐装置１０Ｄ、１０Ｈは、親子関係が未確定の状態を表している。グループ分けＤＢ２４は、図３に示すように、予め登録してある各電力分岐装置の分岐装置ＩＤとその分岐口数と、電力情報受信装置２１が受け取った情報を記録するデータベースである。
【００１４】
次にこの電力分岐装置接続状況解析システムの動作を説明する。電力分岐装置１０Ａ〜１０Ｉが図６（ａ）のように接続されており、電力分岐装置１０Ｅに接続されている消費電力が「１０」の電気機器の電源が入れられたとする。この電気機器の上流にある電力分岐装置１０Ａ、１０Ｂ、１０Ｅに電流が流れるので、その電力センサ１２は、電力の変化量「＋１０」を検出して、それぞれの装置の分岐装置ＩＤ（「Ａ」、「Ｂ」、「Ｅ」）とともに、電力情報送信装置１１に出力する。電力情報送信装置１１は、電力の変化量と分岐装置ＩＤを受けると、これらを解析サーバ２０の電力情報受信装置２１に無線送信する。解析サーバ２０は、図７〜９に示すフローチャートに従い動作しており、まず電力分岐装置１０Ａ、１０Ｂ、１０Ｅの電力情報送信装置１１が送信した、電力の変化量「＋１０」とそれぞれの分岐装置ＩＤを、電力情報受信装置２１が受信する（Ｓ１０）。電力情報受信装置２１は、これらの情報を受信すると、受信時刻とともに、これらを分岐構造解析装置２２に通知する。分岐構造解析装置２２は、これらの情報を受けると、グループ分けＤＢ２４の該当する分岐装置ＩＤ「Ａ」、「Ｂ」、「Ｅ」の行に、電力の変化量「＋１０」と受信時刻を書込む（Ｓ１１）。
【００１５】
次に、分岐構造解析装置２２は、グループ分けＤＢ２４を参照し、同時刻に同量の電力変化量を記録している行を検索する（Ｓ１２）。ここでは、分岐装置ＩＤ「Ａ」、「Ｂ」、「Ｅ」の行が該当するので、これらを抽出して集合「Ａ、Ｂ、Ｅ」とする（Ｓ１３）。分岐構造解析装置２２は、分岐構造ＤＢ２３を参照し、この「Ａ、Ｂ、Ｅ」と全く同じ要素からなる行を検索する。全く同じ要素の行はないので、ステップＳ１４では、“Ｎｏ”に分岐し、分岐構造ＤＢ２３に新規に行番号１を追加して、図１０（ａ）に示すように、これら「Ａ、Ｂ、Ｅ」を行番号１の未確定グループとして、記録する（Ｓ１６）。次に、分岐構造解析装置２２は、分岐構造ＤＢ２３を参照して、ステップＳ１６にて追加した行の未確定グループである「Ａ、Ｂ、Ｅ」と、他の行の構造確定グループとのＡＮＤ集合をそれぞれの行について求め、もっとも要素数が多いものを、追加した行の構造確定グループへ移動する。ここでは、他の行がないため、構造確定グループへは、何も記録しない（Ｓ１７）。
【００１６】
さらに、分岐構造ＤＢ２３を参照して、追加した行の未確定グループである「Ａ、Ｂ、Ｅ」と、他の行の未確定グループとのＡＮＤ集合をそれぞれの行について求める（Ｓ１８）。ここでも、他の行がないため、ステップＳ１８にて、求めたＡＮＤ集合の要素数は「０」なので、ステップＳ１９では、“１以外”に分岐する。未確定グループには、「Ａ、Ｂ、Ｅ」と３つの要素があるので、ステップＳ２１では、“１以外”に分岐して、終了する。終了した後は、再度、図７のフローチャートの開始からの処理を繰り返す。
【００１７】
次に、図６（ｂ）に示すように電力分岐装置１０Ｈに接続されている消費電力が「７」の電気機器の電源が入れられたとする。この電気機器の上流にある電力分岐装置１０Ａ、１０Ｄ、１０Ｈに電流が流れるので、その電力センサ１２は、電力の変化量「＋７」を検出して、それぞれの装置の分岐装置ＩＤ（「Ａ」、「Ｄ」、「Ｈ」）とともに、電力情報送信装置１１に出力する。電力情報送信装置１１は、電力の変化量と分岐装置ＩＤを受けると、これらを解析サーバ２０の電力情報受信装置２１に無線送信する。解析サーバ２０では、まず電力分岐装置１０Ａ、１０Ｄ、１０Ｈの電力情報送信装置１１が送信した、電力の変化量「＋７」とそれぞれの分岐装置ＩＤを、電力情報受信装置２１が受信する（Ｓ１０）。電力情報受信装置２１は、これらの情報を受信すると、受信時刻とともに、これらを分岐構造解析装置２２に通知する。分岐構造解析装置２２は、これらの情報を受けると、グループ分けＤＢ２４の該当する分岐装置ＩＤ「Ａ」、「Ｄ」、「Ｈ」の行に、電力の変化量「＋７」と受信時刻を書込む（Ｓ１１）。
【００１８】
次に、分岐構造解析装置２２は、グループ分けＤＢ２４を参照し、同時刻に同量の電力変化量を記録している行を検索する（Ｓ１２）。ここでは、分岐装置ＩＤ「Ａ」、「Ｄ」、「Ｈ」の行が該当するので、これらを抽出して集合「Ａ、Ｄ、Ｈ」とする（Ｓ１３）。分岐構造解析装置２２は、分岐構造ＤＢ２３を参照し、この「Ａ、Ｄ、Ｈ」と全く同じ要素からなる行を検索する。全く同じ要素の行はないので、ステップＳ１４では、“Ｎｏ”に分岐し、分岐構造ＤＢ２３に新規に行番号２を追加して、図１０（ｂ）に示すように、これら「Ａ、Ｄ、Ｈ」を行番号２の未確定グループとして、記録する（Ｓ１６）。次に、分岐構造解析装置２２は、分岐構造ＤＢ２３を参照して、ステップＳ１６にて追加した行の未確定グループである「Ａ、Ｄ、Ｈ」と、他の行の構造確定グループとのＡＮＤ集合をそれぞれの行について求め、もっとも要素数が多いものを、追加した行の構造確定グループへ移動する。ここでは、構造確定グループに要素がある他の行がないため、構造確定グループへは、何も記録しない（Ｓ１７）。
【００１９】
さらに、分岐構造ＤＢ２３を参照して、追加した行番号２の未確定グループである「Ａ、Ｄ、Ｈ」と、他の行の未確定グループとのＡＮＤ集合をそれぞれの行について求めると、行番号１とのＡＮＤ集合が「Ａ」となる（Ｓ１８）。ステップＳ１８にて、求めたＡＮＤ集合「Ａ」の要素数は「１」なので、ステップ１９では、“１”に分岐する。ＡＮＤ集合「Ａ」を未確定グループに含む行、行番号１および２に対し、未確定グループから「Ａ」を削除して、構造確定グループの末尾に「Ａ」を追加する。これにより、図１０（ｃ）に示すように、行番号１は構造確定グループに「Ａ」、未確定グループに「Ｂ，Ｅ」、行番号２は構造確定グループに「Ａ」、未確定グループに「Ｄ、Ｈ」となる（Ｓ２０）。行番号１および２に変更を加えたので、分岐構造解析装置２２は、それぞれの行についてステップＳ１８からの操作を行う。まず、行番号１については、その未確定グループ「Ｂ、Ｅ」と他の行の未確定グループとのＡＮＤ集合を求めると、共通要素がないので、空集合となる（Ｓ１８）。空集合の要素数は「０」なので、ステップＳ１９は“１以外”に分岐する。行番号１の未確定グループ「Ｂ、Ｅ」の要素数は「２」なので、ステップＳ２１も“１以外”に分岐し、終了する。終了した後は、再度、図７の開始からの処理を繰り返す。一方、行番号２については、その未確定グループ「Ｄ、Ｈ」と他の行の未確定グループとのＡＮＤ集合を求めると、共通要素がないので、空集合となる（Ｓ１８）。空集合の要素数は「０」なので、ステップＳ１９は“１以外”に分岐する。行番号１の未確定グループ「Ｄ、Ｈ」の要素数は「２」なので、ステップＳ２１も“１以外”に分岐し、これも終了する。終了した後は、再度、図７のフローチャートの開始からの処理を繰り返す。
【００２０】
次に、図６（ｂ）に示すように電力分岐装置１０Ｆに接続されている消費電力が「１０」の電気機器の電源が入れられたとする。この電気機器の上流にある電力分岐装置１０Ａ、１０Ｂ、１０Ｆに電流が流れるので、その電力センサ１２は、電力の変化量「＋１０」を検出して、それぞれの装置の分岐装置ＩＤ（「Ａ」、「Ｂ」、「Ｆ」）とともに、電力情報送信装置１１に出力する。電力情報送信装置１１は、電力の変化量と分岐装置ＩＤを受けると、これらを解析サーバ２０の電力情報受信装置２１に無線送信する。解析サーバ２０では、まず電力分岐装置１０Ａ、１０Ｂ、１０Ｆの電力情報送信装置１１が送信した、電力の変化量「＋１０」とそれぞれの分岐装置ＩＤを、電力情報受信装置２１が受信する（Ｓ１０）。電力情報受信装置２１は、これらの情報を受信すると、受信時刻とともに、これらを分岐構造解析装置２２に通知する。分岐構造解析装置２２は、これらの情報を受けると、グループ分けＤＢ２４の該当する分岐装置ＩＤ「Ａ」、「Ｂ」、「Ｆ」の行に、電力の変化量「＋１０」と受信時刻を書込む（Ｓ１１）。
【００２１】
次に、分岐構造解析装置２２は、グループ分けＤＢ２４を参照し、同時刻に同量の電力変化量を記録している行を検索する（Ｓ１２）。ここでは、分岐装置ＩＤ「Ａ」、「Ｂ」、「Ｆ」の行が該当するので、これらを抽出して集合「Ａ、Ｂ、Ｆ」とする（Ｓ１３）。分岐構造解析装置２２は、分岐構造ＤＢ２３を参照し、この「Ａ、Ｂ、Ｆ」と全く同じ要素からなる行を検索する。全く同じ要素の行はないので、ステップＳ１４では、“Ｎｏ”に分岐し、分岐構造ＤＢ２３に新規に行番号３を追加して、図１１（ａ）に示すように、これら「Ａ、Ｂ、Ｆ」を行番号３の未確定グループとして、記録する（Ｓ１６）。次に、分岐構造解析装置２２は、分岐構造ＤＢ２３を参照して、ステップＳ１６にて追加した行の未確定グループである「Ａ、Ｂ、Ｆ」と、他の行の構造確定グループとのＡＮＤ集合をそれぞれの行について求め、もっとも要素数が多いものを、追加した行の構造確定グループへ移動する。ここでは、行番号１および２の構造確定グループとのＡＮＤ集合が「Ａ」となるので、これを行番号３の未確定グループから構造確定グループに移動し、図１１（ｂ）のように、構造確定グループに「Ａ」、未確定グループに「Ｂ、Ｆ」となる（Ｓ１７）。
【００２２】
さらに、分岐構造ＤＢ２３を参照して、追加した行番号３の未確定グループである「Ｂ、Ｆ」と、他の行の未確定グループとのＡＮＤ集合をそれぞれの行について求めると、行番号１とのＡＮＤ集合が「Ｂ」となる（Ｓ１８）。ステップＳ１８にて、求めたＡＮＤ集合「Ｂ」の要素数は「１」なので、ステップ１９では、“１”に分岐する。ＡＮＤ集合「Ｂ」を未確定グループに含む行、行番号１および３に対し、未確定グループから「Ｂ」を削除して、構造確定グループの末尾に「Ｂ」を追加する。これにより、図１１（ｃ）に示すように、行番号１は構造確定グループに「Ａ−Ｂ」、未確定グループに「Ｅ」、行番号３は構造確定グループに「Ａ−Ｂ」、未確定グループに「Ｆ」となる（Ｓ２０）。行番号１および３に変更を加えたので、分岐構造解析装置２２は、それぞれの行についてステップＳ１８からの操作を行う。
【００２３】
まず、行番号１については、その未確定グループ「Ｅ」と他の行の未確定グループとのＡＮＤ集合を求めると、共通要素がないので、空集合となる（Ｓ１８）。空集合の要素数は「０」なので、ステップＳ１９は“１以外”に分岐する。行番号１の未確定グループ「Ｅ」の要素数は「１」なので、ステップＳ２１は“１”に分岐する。未確定グループから「Ｅ」を削除し、構造確定グループの末尾に加えると、構造確定グループは「Ａ−Ｂ−Ｅ」、未確定グループは要素なしとなる。一方、行番号３については、その未確定グループ「Ｆ」と他の行の未確定グループとのＡＮＤ集合を求めると、共通要素がないので、空集合となる（Ｓ１８）。空集合の要素数は「０」なので、ステップＳ１９は“１以外”に分岐する。行番号３の未確定グループ「Ｆ」の要素数は「１」なので、ステップＳ２１は“１”に分岐する。未確定グループから「Ｆ」を削除し、構造確定グループの末尾に加えると、構造確定グループは「Ａ−Ｂ−Ｆ」、未確定グループは要素なしとなる（Ｓ２２）。この後は、再度、図７のフローチャートの開始からの処理を繰り返す。
【００２４】
さらに、電力分岐装置１０Ｉに接続された電気機器の電源を入れるなどして消費電力に変化があると、その上流にある電力分岐装置１０Ａ、１０Ｄ、１０Ｉの電力に変化が表れるため、同様にして、図１２（ａ）のように、「Ａ−Ｄ−Ｉ」の構造が確定する。電力分岐装置１０Ｇに接続された電気機器の電源を入れるもしくは切ると、その上流にある電力分岐装置１０Ａ、１０Ｃ、１０Ｇの電力に変化が表れ、同様にして、図１２（ｂ）のように、「Ｃ、Ｇ」の順番は未確定だが、「Ａ」の下流に接続されていることがわかる。
また、電力分岐装置１０Ｅに接続された電気機器の電源を入れるなどして消費電力に変化があると、その上流にある電力分岐装置１０Ａ、１０B、１０Eの電力に変化が表れるため、前述の図６（ａ）の場合と同様にして、ステップＳ１３では、グループ分けＤＢ２４より、分岐装置ＩＤ「Ａ」、「Ｂ」、「Ｅ」の行を抽出して集合「Ａ、Ｂ、Ｅ」とする。次のステップＳ１４では、分岐構造ＤＢ２３を参照すると、行番号１が要素「Ａ」、「Ｂ」および「Ｅ」から構成されており、前述の集合「Ａ、Ｂ、Ｅ」と一致するため、“Ｙｅｓ”に分岐する。これにより、集合「Ａ、Ｂ、Ｅ」は既知であることがわかるので、これを破棄する（Ｓ１５）。その後は、再度、図７のフローチャートの開始からの処理を繰り返す。その他の電力分岐装置１０Ｆ〜１０Ｉに接続された電気機器の消費電力に変化があった場合も同様にして、破棄する。
【００２５】
ここで、解析サーバ２０は、ユーザ指示により、分岐構造DB２３を参照して、電力分岐装置１０Ａ〜１０Ｉの接続関係を、図４に示すような分岐構造ＤＢ２３内の記憶内容を表形式にして、もしくは、記憶内容に基づき図５に示すような樹形図を描いて、解析サーバ２０に接続されたディスプレイに表示あるいはプリンタで紙面に印刷することができる。また、この際、解析サーバ２０は、分岐構造DB２３を参照することで、各電力分岐装置１０Ａ〜１０Ｉに接続されている電力分岐装置数を数え、グループ分けＤＢ２４より、各電力分岐装置の備える分岐口数を取得して、この分岐口数と接続されている電力分岐装置数との差分をとることで、各電力分岐装置の空いている分岐口数を算出して、前述の接続関係の表もしくは樹形図とともに表示あるいは印刷することができる。例えば、分岐構造ＤＢ２３の内容が図１２（ｂ）に示す状態であるとき、電力分岐装置１０Ａについては、その分岐口１３〜１６には、行番号１および２より電力分岐装置１０Ｂと、行番号３および４より電力分岐装置１０Ｄとが差し込まれており、さらに行番号５より、電力分岐装置１０Ｃもしくは１０Ｇのどちらかが差し込まれていることがわかる。したがって、電力分岐装置１０Ａには計３つの電力分岐装置が差し込まれており、グループ分けＤＢ２４を参照すると図３に示すように電力分岐装置１０Ａの分岐口数は４つであるので、差分の１つだけ分岐口が空いていることがわかるので、これを、解析サーバ２０に接続されたディスプレイに表示あるいはプリンタで紙面に印刷する。同様にして、その他の電力分岐装置１０Ｂ〜１０Ｉについても、空いている分岐口数を算出して、表示あるいは印刷する。
【００２６】
また、本実施形態では、各電力分岐装置１０Ａ〜１０Ｉにおいて、電力の変化を検出した際に、解析サーバ２０へ電力の変化量を送信するとして説明したが、各電力分岐装置１０Ａ〜１０Ｉは、測定結果の電力の値を定期的に解析サーバ２０へ送信してもよい。この場合、解析サーバ側で、前回の受信分と比較して変化量を算出することで、本実施形態と同様にして接続関係を解析することができる。
なお、本実施形態では、接続状況を解析する対象を電力を分岐する電力分岐装置として説明したが、ネットワーク、水道管やガス管などの分岐装置を対象としても良い。この場合、分岐装置は電力センサ１２ではなく、対象となる分岐装置における流量を測定するセンサを備える。
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００２７】
【図１】この発明の一実施形態による分岐装置接続状況解析システムの構成を示すブロック図である。
【図２】同実施形態における電力分岐装置１０を説明する図である。
【図３】同実施形態におけるグループ分けＤＢ２４の記憶内容例を示す図である。
【図４】同実施形態における分岐構造ＤＢ２３の記憶内容例を示す図である。
【図５】分岐構造ＤＢ２３の内容が図５であるときの分岐構造を説明する図である。
【図６】同実施形態における状態遷移の例を説明する図である。
【図７】同実施形態における解析サーバ２０の動作を説明するフロー図である。
【図８】同実施形態における解析サーバ２０の動作を説明するフロー図である。
【図９】同実施形態における解析サーバ２０の動作を説明するフロー図である。
【図１０】同実施形態における分岐構造ＤＢ２３の記憶内容例を示す図である。
【図１１】同実施形態における分岐構造ＤＢ２３の記憶内容例を示す図である。
【図１２】同実施形態における分岐構造ＤＢ２３の記憶内容例を示す図である。
【符号の説明】
【００２８】
１０…電力分岐装置
１１…電力情報送信装置
１２…電力センサ
１３、１４、１５、１６…分岐口
２０…解析サーバ
２１…電力情報受信装置
２２…分岐構造解析装置
２３…分岐構造ＤＢ
２４…グループ分けＤＢ
【図１】
2007043867.tif 000003
【図２】
2007043867.tif 000004
【図３】
2007043867.tif 000005
【図４】
2007043867.tif 000006
【図５】
2007043867.tif 000007
【図６】
2007043867.tif 000008
【図７】
2007043867.tif 000009
【図８】
2007043867.tif 000010
【図９】
2007043867.tif 000011
【図１０】
2007043867.tif 000012
【図１１】
2007043867.tif 000013
【図１２】
2007043867.tif 000014